(57)【要約】【課題】工具を使用することなく、手で容易に異なる太さのパイプに固定する為の多目的クランプ。【解決手段】多目的クランプ１は、挟み部２、挟み部３、レバー４、及び線ばね５を備え、挟み部２に、凸形状のパイプ保持部２１を複数個所設け、取付部２２を固着し、さらに線ばね５を取り付け、挟み部３に、凸形状のパイプ保持部３１を複数個所設け，レバー４と挟み部３がレバー支点７によって回動可能に連結されており、レバー４に線ばね５を引っ掛ける為の溝状の線ばね引っ掛け部４１を複数個所設け、挟み部２と挟み部３が挟み部支点６によって回動可能に連結されており、線ばね５をレバー４の線ばね引っ掛け部４１に引っ掛け、レバーを回動させ、線ばね５により、挟み部２と挟み部３でパイプＰを狭持することにより固定する。【選択図】図１
2012225503.tif 000002
【特許請求の範囲】
【請求項１】
挟み部２、挟み部３、レバー４、及び線ばね５を備えた多目的クランプであって、挟み部２は、略直方体形状で、内側がパイプ保持側で、外側に取付部２２を固着し、線ばね５を挟み部支点６とは異なる端部に備え、挟み部３は略直方体形状で、内側がパイプ保持側で、レバー４を挟み部３の挟み部支点６とは異なる端部にレバー支点７によって回動可能に連結し、レバー４に線ばね５を引っ掛ける為の溝状の線ばね引っ掛け部４１を設け、挟み部２と挟み部３は、挟み部支点６で、回動可能に連結し、線ばね５をレバー４の線ばね引っ掛け部４１に引っ掛け、レバーを回動させ、線ばね５により、挟み部２と挟み部３でパイプＰを狭持することにより固定することを特徴する多目的クランプ。
【請求項２】
挟み部２に複数の凸形状のパイプ保持部２１、挟み部３に複数の凸形状のパイプ保持部３１を設け、パイプ保持部２１とパイプ保持部３１を合計４個所以上とすることにより、パイプの挟持を強くしたことを特徴とする請求項１記載の多目的クランプ。
【請求項３】
レバー４に線ばね引っ掛け部４１を複数個所設けることにより、複数の種類の太さのパイプに応じられるようにしたことを特徴とする請求項１又は請求項２記載の多目的クランプ。
【請求項４】
挟み部２は、外側に一つ又は複数のフック、又はチャックを有する取付部２２を備えたことを特徴とする請求項１〜請求項３の何れかに記載の多目的クランプ。
【発明の詳細な説明】
【技術分野】
【０００１】本発明は、シートやネット及びその他産業機器を保持する為の多目的クランプに関する。
【背景技術】
【０００２】従来、パイプにシートやネットを帳装する方法は、ボルトとナットを螺合させて、一対になったフックを備えるクランプ本体をパイプに固定し、上記フックにシートやネットを取り付けたり、シートやネットに備えられた孔にロープを通し、上記フックに結び付けるというものであった。このように従来のシートやネットを取り付けるクランプでは、クランプをパイプに固定する時に、ボルトにナットを螺合させるための専用工具が必要であった。
【先行技術文献】
【特許文献】
【０００３】
【特許文献１】  実公平６−３２６０１公報
【発明の概要】
【発明が解決しようとする課題】
【０００４】工具を使用することなく、手で短時間に容易に異なる太さのパイプに固定する為の多目的クランプ。
【課題を解決するための手段】
【０００５】挟み部２、挟み部３、レバー４、及び線ばね５を備えた多目的クランプであって、挟み部２は、略直方体形状で、内側がパイプ保持側で、外側に取付部２２を固着し、線ばね５を挟み部支点６とは異なる端部に、挟み部３は略直方体形状で、内側がパイプ保持側で、レバー４を挟み部３の挟み部支点６とは異なる端部にレバー支点７によって回動可能に連結し、レバー４に線ばね５を引っ掛ける為の溝状の線ばね引っ掛け部４１を設け、挟み部２と挟み部３は、挟み部支点６で、回動可能に連結し、線ばね５をレバー４の線ばね引っ掛け部４１に引っ掛け、レバーを回動させ、線ばね５により、挟み部２と挟み部３でパイプＰを狭持することにより固定することを特徴する多目的クランプ。
また挟み部２に線ばね５を引っ掛ける為の溝状の線ばね引っ掛け部４１を設け、レバー４に線ばね５を備えることも可能である。
さらに取付部２２はフック状、又は、挟みによるチャック機能を有するなど、機能に応じて形状を変更できる。形状を変更することで様々な産業機器を取付けることが可能である。【０００６】挟み部２に複数の凸形状のパイプ保持部２１、挟み部３に複数のパイプ保持部３１を設け、パイプ保持部２１とパイプ保持部３１を合計４個所以上とすることにより、パイプの挟持を強くしたことを特徴とする多目的クランプ。【０００７】レバー４に引っ掛ける線ばね引っ掛け部４１を複数個所設けることにより、複数の種類の太さのパイプに応じられるようにした多目的クランプ。
【発明の効果】
【０００８】（１）ボルトとナットでパイプを締めつける為の工具を用いる必要が無く、クランプする  為にかかる時間が比較的短く済み、施工性が高い。
（２）パイプに４箇所以上に接触し狭持するので滑りにくい。
（３）複数の種類の太さのパイプに固定することが可能になる。
【図面の簡単な説明】
【０００９】
【図１】本発明の多目的クランプの構成図である
【図２】本発明の多目的クランプの使用方法である  （ａ）挟み部が開いており、線ばねをレバーの線ばね引っ掛け部に引っ掛ける前の状態  （ｂ）挟み部が閉じて、線ばねをレバーの線ばね引っ掛け部に引っ掛けた状態  （ｃ）レバーを回転させて、線ばねをたわませてパイプに挟み部を当て、挟持している状態  （ｄ）線ばね引っ掛け部を変えて異なる太さのパイプを挟持している状態
【図３】本発明の多目的クランプの施工例である
【図４】本発明の多目的クランプの取付部２２が挟みによるチャック機能を有するものである
【図５】本発明の多目的クランプであって、挟み部２に線ばね５を引っ掛ける為の溝状の線ばね引っ掛け部４１を設け、レバー４に線ばね５を備えたものの構成図である
【図６】本発明の多目的クランプであって、挟み部２に線ばね５を引っ掛ける為の溝状の線ばね引っ掛け部４１を設け、レバー４に線ばね５を備えたものの使用方法である  （ａ）挟み部が開いており、線ばねを挟み部の線ばね引っ掛け部に引っ掛ける前の状態  （ｂ）挟み部が閉じて、線ばねを挟み部の線ばね引っ掛け部に引っ掛けた状態  （ｃ）レバーを回転させて、線ばねをたわませてパイプに挟み部を当て、挟持している状態  （ｄ）線ばね引っ掛け部を変えて異なる太さのパイプを挟持している状態
【発明を実施するための形態】
【００１０】図１は、本発明の多目的クランプの構成である。
多目的クランプ１は、挟み部２、挟み部３、レバー４及び線ばね５を備えている。
挟み部２は、略直方体形状で、内側がパイプ保持側で、そこに凸形状のパイプ保持部２１を複数個所設け、外側に取付部２２を固着し、線ばね５を挟み部支点６とは異なる端部に備える。挟み部３は略直方体形状で、内側がパイプ保持側で、そこにパイプを保持するための凸形状のパイプ保持部３１（図２（ａ）参照）を複数個所設け、レバー４を挟み部３の挟み部支点６とは異なる端部にレバー支点７によって回動可能に連結する。
【００１１】図２は、本発明の多目的クランプの使用方法である。（ａ）は挟み部２と挟み部３が開いており、線ばね５をレバー４の線ばね引っ掛け部４１に引っ掛ける前の状態、（ｂ）は挟み部２と挟み部３が開いており、線ばね５をレバー４の線ばね引っ掛け部４１に引っ掛けた状態、（ｃ）はレバー４を回動させて、線ばね５をたわませてパイプＰにパイプ保持部２１とパイプ保持部３１を接触させ、挟持している状態を示す。
本発明である多目的クランプをパイプに固定する場合は、図２（ａ）のように、挟み部２と挟み部３が開いている状態から、図２（ｂ）のように、挟み部２と挟み部３を閉じて、線ばね５をレバー４の線ばね引っ掛け部４１に引っ掛け、レバーを回動させ、線ばね５により、挟み部２と挟み部３でパイプＰを狭持して固定する。
図２では、線ばね引っ掛け部４１が２個所としているが、３個所以上設けることによって、より色々な種類の太さのパイプに対応出来る。
また、挟み部２と挟み部３にそれぞれ、凸形状のパイプ保持部２１，パイプ保持部３１を複数設け、４個所以上の複数個所で強くパイプを挟持し滑りにくくしている。
【００１２】図３は、多目的クランプの使用例であり、多目的クランプ１をパイプＰに固定し、シートＹに設けられた孔に取付部２２を引っ掛け、シートを帳装している状態を示す。
また取付部２２の形状を変更することによって、シートやネット以外の様々な産業機器を取付けることが可能である。
【００１３】図５は、本発明の多目的クランプであって、挟み部２に線ばね５を引っ掛ける為の溝状の線ばね引っ掛け部４１を設け、レバー４に線ばね５を備えたものの構成である。
多目的クランプ１は、挟み部２、挟み部３、レバー４及び線ばね５を備えている。
挟み部２は、略直方体形状で、内側がパイプ保持側で、そこに凸形状のパイプ保持部２１を複数個所設け、外側に取付部２２を固着し、線ばね５を引っ掛ける為の溝状の線ばね引っ掛け部４１を設ける。挟み部３は略直方体形状で、内側がパイプ保持側で、そこにパイプを保持するための凸形状のパイプ保持部３１（図６（ａ）参照）を複数個所設け、レバー４を挟み部３の挟み部支点６とは異なる端部にレバー支点７によって回動可能に連結する。
【００１４】図６は、本発明の多目的クランプであって、挟み部２に線ばね５を引っ掛ける為の溝状の線ばね引っ掛け部４１を設け、レバー４に線ばね５を備えたものの使用方法である。（ａ）は挟み部２と挟み部３が開いており、線ばね５を挟み部２の線ばね引っ掛け部４１に引っ掛ける前の状態、（ｂ）は挟み部２と挟み部３が開いており、線ばね５を挟み部２の線ばね引っ掛け部４１に引っ掛けた状態、（ｃ）はレバー４を回動させて、線ばね５をたわませてパイプＰにパイプ保持部２１とパイプ保持部３１を接触させ、挟持している状態を示す。
本発明である多目的クランプをパイプに固定する場合は、図６（ｂ）のように、挟み部２と挟み部３が開いている状態から、図６（ｃ）のように、挟み部２と挟み部３を閉じて、線ばね５を挟み部２の線ばね引っ掛け部４１に引っ掛け、レバーを回動させ、線ばね５により、挟み部２と挟み部３でパイプＰを狭持して固定する。
図６では、線ばね引っ掛け部４１が２個所としているが、３個所以上設けることによって、より色々な種類の太さのパイプに対応出来る。
また、挟み部２と挟み部３にそれぞれ、凸形状のパイプ保持部２１，パイプ保持部３１を複数設け、４個所以上の複数個所で強くパイプを挟持し滑りにくくしている。
【産業上の利用可能性】
【００１５】本発明の多目的クランプは、パイプに固定するとき、工具を用いることなく、パイプを挟むことで、手で、比較的短時間でパイプに固定し、シートやネット及びその他産業機器を取り付けることが出来る。
【符号の説明】
【００１６】１    多目的クランプ
２    挟み部
２１  パイプ保持部
２２  取付部
３    挟み部
３１  パイプ保持部
４    レバー
４１  線ばね引っ掛け部
５    線ばね
６    挟み部支点
７    レバー支点
Ｐ    パイプ
Ｙ    シート
Ｃ    チャック
【図１】
2012225503.tif 000003
【図２】
2012225503.tif 000004
【図３】
2012225503.tif 000005
【図４】
2012225503.tif 000006
【図５】
2012225503.tif 000007
【図６】
2012225503.tif 000008